(57)【要約】【課題】第１サブハーネスと第２サブハーネスを分別する際の作業性向上を図る。【解決手段】ワイヤーハーネス１０は、複数本の第１電線１２Ａを束ねて構成され、第１電線１２Ａの端末部に第１端子金具１５Ａが接続されている第１サブハーネス１１Ａと、複数本の第２電線１２Ｂを束ねて構成され、第２電線１２Ｂの端末部に第２端子金具１５Ｂが接続されている第２サブハーネス１１Ｂと、複数の第１端子金具１５Ａが取り付けられる第１端子収容部２１Ａと、複数の第２端子金具１５Ｂが取り付けられる第２端子収容部２１Ｂを、第１端子収容部２１Ａ及び第２端子収容部２１Ｂよりも破壊強度の低い連結部２２で連結した形態のコネクタハウジング２０とを備える。【選択図】図１
2014017125.tif 000002
【特許請求の範囲】
【請求項１】
複数本の第１電線を束ねて構成され、前記第１電線の端末部に第１端子金具が接続されている第１サブハーネスと、
複数本の第２電線を束ねて構成され、前記第２電線の端末部に第２端子金具が接続されている第２サブハーネスと、
複数の前記第１端子金具が取り付けられる第１端子収容部と、複数の前記第２端子金具が取り付けられる第２端子収容部を、前記第１端子収容部及び前記第２端子収容部よりも破壊強度の低い連結部で連結した形態のコネクタハウジングとを備えて構成されていることを特徴とするワイヤーハーネス。
【請求項２】
前記第１端子収容部と前記第２端子収容部の並び方向と交差する方向において、前記連結部の寸法が前記第１端子収容部及び前記第２端子収容部よりも小さい寸法に設定されていることを特徴とする請求項１記載のワイヤーハーネス。
【請求項３】
第１サブハーネスを構成する複数本の第１電線の端末部に接続した複数の第１端子金具を収容する第１端子収容部と、
第２サブハーネスを構成する複数本の第２電線の端末部に接続した複数の第２端子金具を収容する第１端子収容部と、
前記第１端子収容部及び前記第２端子収容部よりも破壊強度が低く、前記第１端子収容部と前記第２端子収容部を連結する連結部とを備えて構成されていることを特徴とするコネクタハウジング。
【請求項４】
前記第１端子収容部と前記第２端子収容部の並び方向と交差する方向において、前記連結部の寸法が前記第１端子収容部及び前記第２端子収容部よりも小さい寸法に設定されていることを特徴とする請求項３記載のコネクタハウジング。
【発明の詳細な説明】
【技術分野】
【０００１】
本発明は、ワイヤーハーネス及びコネクタハウジングに関するものである。
【背景技術】
【０００２】
特許文献１には、リサイクルの際の分別を容易とするワイヤーハーネスが開示されている。このワイヤーハーネスは、導体の材質が共通である第１サブハーネスと、導体の材質が第１サブハーネスとは異なる第２サブハーネスとを束ねて構成されている。リサイクルの際には、ワイヤーハーネスを第１サブハーネスと第２サブハーネスとに分離するだけで、導体を材質毎に分別することができる。
【先行技術文献】
【特許文献】
【０００３】
【特許文献１】特開２００７−０５９２９８号公報
【発明の概要】
【発明が解決しようとする課題】
【０００４】
ワイヤーハーネスは複数本の電線を束ねて構成され、各電線の端部には端子金具が接続されている。これら複数の端子金具は、１つのコネクタハウジング内に収容されている。そのため、特許文献１のワイヤーハーネスをリサイクルする際には、第１サブハーネスと第２サブハーネスを分離する作業と前後して、全ての端子金具をコネクタハウジングから抜き取る作業が必要である。ところが、コネクタハウジング内に収容されている端子金具は、抜止め手段によって容易に抜き取れない状態に保持されているので、端子金具をコネクタハウジングから抜き取る作業には手間がかかる。そのため、ワイヤーハーネスをリサイクルする際の作業性が良くないという問題がある。
本発明は上記のような事情に基づいて完成されたものであって、第１サブハーネスと第２サブハーネスを分別する際の作業性向上を図ることを目的とする。
【課題を解決するための手段】
【０００５】
第１発明のワイヤーハーネスは、
複数本の第１電線を束ねて構成され、前記第１電線の端末部に第１端子金具が接続されている第１サブハーネスと、
複数本の第２電線を束ねて構成され、前記第２電線の端末部に第２端子金具が接続されている第２サブハーネスと、
複数の前記第１端子金具が取り付けられる第１端子収容部と、複数の前記第２端子金具が取り付けられる第２端子収容部を、前記第１端子収容部及び前記第２端子収容部よりも破壊強度の低い連結部で連結した形態のコネクタハウジングとを備えて構成されているところに特徴を有する。
【０００６】
第２発明のコネクタハウジングは、
第１サブハーネスを構成する複数本の第１電線の端末部に接続した複数の第１端子金具を収容する第１端子収容部と、
第２サブハーネスを構成する複数本の第２電線の端末部に接続した複数の第２端子金具を収容する第１端子収容部と、
前記第１端子収容部及び前記第２端子収容部よりも破壊強度が低く、前記第１端子収容部と前記第２端子収容部を連結する連結部とを備えて構成されているところに特徴を有する。
【発明の効果】
【０００７】
第１発明によれば、ワイヤーハーネスをリサイクルする際には、コネクタハウジングの連結部を破壊して第１端子収容部と第２端子収容部を分離すれば、第１端子金具と第２端子金具をコネクタハウジングに収容したままで、第１サブハーネスと第２サブハーネスを分別することができる。第１端子金具と第２端子金具をコネクタハウジングから抜き取る作業が不要なので、作業性が良い。
【０００８】
第２発明によれば、連結部を破壊して第１端子収容部と第２端子収容部を分離すれば、第１端子金具と第２端子金具をコネクタハウジングに収容したままで、第１サブハーネスと第２サブハーネスを分別することができる。第１端子金具と第２端子金具をコネクタハウジングから抜き取る作業が不要なので、作業性が良い。
【図面の簡単な説明】
【０００９】
【図１】実施例１のワイヤーハーネスの平面図
【図２】ワイヤーハーネスの正面図
【図３】コネクタハウジングを第１端子収容部と第２端子収容部に分離して、第１サブハーネスと第２サブハーネスを分別した状態をあらわす平面図
【図４】コネクタハウジングを第１端子収容部と第２端子収容部に分離して、第１サブハーネスと第２サブハーネスを分別した状態をあらわす正面図
【図５】第１電線の断面図
【図６】第２電線の断面図
【発明を実施するための形態】
【００１０】
本発明のワイヤーハーネスは、
前記第１端子収容部と前記第２端子収容部の並び方向と交差する方向において、前記連結部の寸法が前記第１端子収容部及び前記第２端子収容部よりも小さい寸法に設定されていてもよい。
この構成によれば、第１端子収容部と第２端子収容部に対し、連結部を支点として相対変位させるような外力を付与すれば、連結部が破壊される。
【００１１】
本発明のコネクタハウジングは、
前記第１端子収容部と前記第２端子収容部の並び方向と交差する方向において、前記連結部の寸法が前記第１端子収容部及び前記第２端子収容部よりも小さい寸法に設定されていてもよい。
この構成によれば、第１端子収容部と第２端子収容部に対し、連結部を支点として相対変位させるような外力を付与すれば、連結部が破壊される。
【００１２】
＜実施例１＞
以下、本発明を具体化した実施例１を図１〜図６を参照して説明する。本実施例１のワイヤーハーネス１０は、図１〜４に示すように、第１サブハーネス１１Ａと第２サブハーネス１１Ｂとコネクタハウジング２０とを備えて構成されている。
【００１３】
第１サブハーネス１１Ａは、複数本の第１電線１２Ａと、各第１電線１２Ａの端末部に個別に接続された複数の第１端子金具１５Ａとを備えて構成されている。図５に示すように、第１電線１２Ａは、第１導体１３Ａを第１絶縁被覆１４Ａで包囲した被覆電線である。第２サブハーネス１１Ｂは、複数本の第２電線１２Ｂと、各第２電線１２Ｂの端末部に個別に接続された複数の第２端子金具１５Ｂとを備えて構成されている。図６に示すように、第２電線１２Ｂは、第２導体１３Ｂを第２絶縁被覆１４Ｂで包囲した被覆電線である。
【００１４】
第１サブハーネス１１Ａは、第２電線１２Ｂを含まず、第１電線１２Ａのみで構成されている。第１サブハーネス１１Ａを構成する全ての第１電線１２Ａは、第１導体１３Ａの材質がアルミ合金で統一されている。また、第２サブハーネス１１Ｂは、第１電線１２Ａを含まず、第２電線１２Ｂのみで構成されている。第２サブハーネス１１Ｂを構成する全ての第２電線１２Ｂは、第２導体１３Ｂの材質が銅合金（つまり、第１導体１３Ａとは異なる材質の金属）で統一されている。
【００１５】
コネクタハウジング２０は、合成樹脂製であり、第１端子収容部２１Ａと第２端子収容部２１Ｂと連結部２２とを一体に形成して構成された単一部品である。第１端子収容部２１Ａと第２端子収容部２１Ｂは、いずれもブロック状をなす。第１端子収容部２１Ａと第２端子収容部２１Ｂは、ほぼ同じ高さで左右に並ぶように配置されている。
【００１６】
第１端子収容部２１Ａ内には、第１サブハーネス１１Ａを構成する全ての第１端子金具１５Ａ（つまり、第１サブハーネス１１Ａの一方の端部）が挿入されている。第１端子収容部２１Ａ内に収容された第１端子金具１５Ａは、第１端子収容部２１Ａ内に形成した弾性撓み可能なランスや、第１端子収容部２１Ａに組み付けられるリテーナ等の周知の抜止め手段（図示省略）の係止作用により、抜止め状態に保持されている。第１端子金具１５Ａに対する抜止めを解除するためには、治具を用いてランスを第１端子金具１５Ａと非係止の位置へ弾性撓みさせたり、治具を用いてリテーナを第１端子金具１５Ａと非係止の位置へ退避させる等の面倒な手作業が必要である。
【００１７】
第２端子収容部２１Ｂ内には、第２サブハーネス１１Ｂを構成する全ての第２端子金具１５Ｂ（つまり、第２サブハーネス１１Ｂの一方の端部）が挿入されている。第２端子収容部２１Ｂ内に収容された第２端子金具１５Ｂは、第２端子収容部２１Ｂ内に形成した弾性撓み可能なランスや、第２端子収容部２１Ｂに組み付けられるリテーナ等の周知の抜止め手段（図示省略）の係止作用により、抜止め状態に保持されている。第２端子金具１５Ｂに対する抜止めを解除するためには、治具を用いてランスを第２端子金具１５Ｂと非係止の位置へ弾性撓みさせたり、治具を用いてリテーナを第２端子金具１５Ｂと非係止の位置へ退避させる等の面倒な手作業が必要である。
【００１８】
連結部２２は、第１端子収容部２１Ａと第２端子収容部２１Ｂとの間に配置され、第１端子収容部２１Ａと第２端子収容部２１Ｂとを連結する。連結部２２の破壊強度（曲げ強度と剪断強度）は、第１端子収容部２１Ａ及び第２端子収容部２１Ｂよりも小さくなっている。連結部２２の強度を低く設定するための手段として、第１端子収容部２１Ａと第２端子収容部２１Ｂの並び方向と交差する二次元方向において、連結部２２の寸法を、第１端子収容部２１Ａ及び第２端子収容部２１Ｂよりも小さい寸法に設定している。
【００１９】
具体的には、図２に示すように、連結部２２の上下方向（第１端子収容部２１Ａと第２端子収容部２１Ｂの並び方向と交差する方向）の寸法は、第１端子収容部２１Ａ及び第２端子収容部２１Ｂの上下方向の寸法よりも小さい。また、図１に示すように、連結部２２の前後方向（第１端子収容部２１Ａと第２端子収容部２１Ｂの並び方向と交差する方向）の寸法は、第１端子収容部２１Ａ及び第２端子収容部２１Ｂの前後方向の寸法よりも小さい。
【００２０】
さらに、図２に示すように、連結部２２は、第１端子収容部２１Ａ及び第２端子収容部２１Ｂの上面よりも低く、且つ第１端子収容部２１Ａ及び第２端子収容部２１Ｂの下面よりも高い位置に配置されている。また、図１に示すように、連結部２２は、第１端子収容部２１Ａ及び第２端子収容部２１Ｂの前面よりも後方で、且つ第１端子収容部２１Ａ及び第２端子収容部２１Ｂの後面よりも前方の位置に配置されている。つまり、連結部２２は、第１端子収容部２１Ａ及び第２端子収容部２１Ｂの外面から奥まった位置に配置されている。この配置により、第１端子収容部２１Ａと第２端子収容部２１Ｂとの間（つまり、連結部２２の前後及び上下）には、第１端子収容部２１Ａと第２端子収容部２１Ｂが、連結部２２を支点として互いに斜めをなすように上下方向及び前後方向に相対変位し得るような変位許容空間Ｓが確保されている。
【００２１】
ワイヤーハーネス１０をリサイクルする際には、第１端子収容部２１Ａと第２端子収容部２１Ｂに対し、連結部２２を支点として相対変位させるような外力を繰り返し付与して、連結部２２を破壊する。具体的には、両手で掴んだ第１端子収容部２１Ａと第２端子収容部２１Ｂを、連結部２２を支点として両端子収容部２１Ａ，２１Ｂの並び方向（左右方向）と交差する方向（上下方向又は前後方向）へ曲げる動作、又は、両端子収容部の並び方向と平行な仮想軸線（図示省略）を中心として捻る動作を繰り返せばよい。
【００２２】
図３，４に示すように、連結部２２が破壊されると、第１端子収容部２１Ａと第２端子収容部２１Ｂとが分離して、コネクタハウジング２０が２つの部品に分断される。これにより、第１端子金具１５Ａと第２端子金具１５Ｂをコネクタハウジング２０に収容したまま（つまり、第１端子金具１５Ａを第１端子収容部２１Ａに収容し、第２端子金具１５Ｂを第２端子収容部２１Ｂに収容したまま）で、ワイヤーハーネス１０は、第１サブハーネス１１Ａと第２サブハーネス１１Ｂとに分別される。
【００２３】
本実施例によれば、第１サブハーネス１１Ａと第２サブハーネス１１Ｂを分別するに際して、第１端子金具１５Ａと第２端子金具１５Ｂをコネクタハウジング２０（第１端子収容部２１Ａと第２端子収容部２１Ｂ）から抜き取る作業が不要なので、作業性が良い。また、第１サブハーネス１１Ａを構成する第１導体１３Ａと第２サブハーネス１１Ｂを構成する第２導体１３Ｂは、材質が互いに異なっているので、第１サブハーネス１１Ａと第２サブハーネス１１Ｂは、導体１３Ａ，１３Ｂの材質の違いに基づいて分別されることになる。したがって、本実施例のワイヤーハーネス１０は、異なる２種の金属（アルミ合金と銅合金）をリサイクルするのに好適である。
【００２４】
＜他の実施例＞
本発明は上記記述及び図面によって説明した実施例に限定されるものではなく、例えば次のような実施例も本発明の技術的範囲に含まれる。
（１）本発明は、導体を絶縁被覆で包囲した単芯線に限らず、導体の外周を絶縁性のコアとシールド層と絶縁性のシースによって順に包囲した形態のシールド電線や、２本の導体をシースで一括して包囲したツイストペア線や、３本以上の導体をシースで一体化した多芯ケーブル等にも適用できる。
（２）上記実施例では、第１導体がアルミ合金製であり、第２導体が銅合金製である場合について説明したが、第１導体と第２導体の材質の組み合わせは銅合金とアルミ合金に限らず、他の金属材料の組み合わせであっても良い。
（３）上記実施例では、第１導体と第２導体とを異なる材質としたが、本発明は、第１導体と第２導体が同一の材質である場合にも適用できる。
（４）上記実施例では、第１サブハーネスと第２サブハーネスの分別基準が導体の材質の違いである適用した場合について説明したが、本発明は、分別基準が、導体の材質の違いである場合に限らず、絶縁被覆の材料の違い等である場合にも適用できる。
（５）上記実施例では、コネクタハウジングが２つの端子収容部を連結した形態としたが、本発明は、少なくとも第１端子収容部と第２端子収容部を備えたものを含む。したがって、本発明は、１つのコネクタハウジングが３つ以上の端子収容部を連結した形態である場合にも適用できる。
（６）上記実施例では、第１端子収容部と第２端子収容部を連結する連結部の数を１つとしたが、第１端子収容部と第２端子収容部を複数の連結部で連結してもよい。
【符号の説明】
【００２５】
１０…ワイヤーハーネス
１１Ａ…第１サブハーネス
１１Ｂ…第２サブハーネス
１２Ａ…第１電線
１２Ｂ…第２電線
１３Ａ…第１導体
１３Ｂ…第２導体
１５Ａ…第１端子金具
１５Ｂ…第２端子金具
２０…コネクタハウジング
２１Ａ…第１端子収容部
２１Ｂ…第２端子収容部
２２…連結部
【図１】
2014017125.tif 000003
【図２】
2014017125.tif 000004
【図３】
2014017125.tif 000005
【図４】
2014017125.tif 000006
【図５】
2014017125.tif 000007
【図６】
2014017125.tif 000008